(57)【特許請求の範囲】
【請求項１】
加入者から送信されるダイヤル数字を受信する加入者回路を収容するとともに加入者回線を終端する加入者収容モジュールと、加入者から受信したダイヤル数字に基づいて交換制御を行うとともに加入者収容モジュールの保守管理を行う交換制御モジュールからなる交換システムのダイヤル数字受信方式において、前記加入者収容モジュールは受信したダイヤル数字を１数字づつ前記交換制御モジュールに送信し、前記交換制御モジュールは、前記加入者収容モジュールから順次送信されるダイヤル数字に基づいて加入者から受信すべきダイヤル数字の桁数を決定し、その桁数を該交換制御モジュールから加入者収容モジュールに通知することを特徴とするダイヤル数字受信方式。
【請求項２】
加入者から送信されるダイヤル数字を受信する加入者回路を収容するとともに加入者回線を終端する加入者収容モジュールと、加入者から受信したダイヤル数字に基づいて交換制御を行うとともに加入者収容モジュールの保守管理を行う交換制御モジュールからなる交換システムのダイヤル数字受信方式において、前記加入者収容モジュールは受信したダイヤル数字を１数字づつ前記交換制御モジュールに送信し、前記交換制御モジュールは、前記加入者収容モジュールから順次送信されるダイヤル数字に基づいて加入者から受信すべき該ダイヤル数字の桁数を決定し、その桁数を該交換制御モジュールから加入者収容モジュールに通知し、前記加入者収容モジュールは、前記加入者から受信したダイヤル数字の桁数が前記交換制御モジュールから通知された受信すべきダイヤル数字の桁数に達すると、それまでに受信した１桁目から該通知桁数までのダイヤル数字を、交換制御モジュールに通知することを特徴とするダイヤル数字受信方式。
【請求項３】
加入者収容モジュールが、加入者端末からのダイヤル数字を蓄積する手段と、受信したダイヤル数字の桁数を記憶する手段と、決定桁数を記憶する決定桁数記憶手段と、受信桁数が決定桁数に達したか否かを判断する比較手段とを有する請求項１または請求項２に記載されたダイヤル数字受信方式。
【請求項４】
交換制御モジュールが加入者収容モジュールからのダイヤル数字を蓄積する手段と、加入者収容モジュールから受信したダイヤル数字の桁数を記憶する手段と、受信桁数が所定の桁数に達したか否かを判断し受信すべきダイヤル数字桁数を決定する桁数決定手段とを有する請求項１または請求項２に記載されたダイヤル数字受信方式。
【発明の詳細な説明】
【０００１】
【産業上の利用分野】
本発明は、ダイヤル数字によって交換制御を行う通信システムにおける受信すべきダイヤル数字の桁数を決定処理する方式に関する。
【０００２】
【従来の技術】
従来、電話交換網においては、受信すべきダイヤル数字の桁数の決定処理は、加入者回線を収容するとともに交換制御を行う加入者線交換機が行っていた。すなわち、「電子交換プログラム入門」（高村  真司・川島  浩・中島  汎仁共著、電子通信学会編、６６ページ〜６８ページ）に記述されているように、交換機は、加入者から送られる数字を順次受信し、そのつど受信したダイヤル数字に基づいて受信すべき桁数が決定できるか判定し、受信すべきダイヤル数字の桁数が決定された以降は、加入者から送られる数字を受信するたびに、接続に必要となる桁数分の数字を受信したかどうか判定していた。
【０００３】
【発明が解決しようとする課題】
上記従来の方式では、受信すべきダイヤル数字桁数決定処理と受信すべきダイヤル数字桁数を受信したか否かの判断を加入者線交換機が行っているので、この処理に要する負荷が加入者線交換機にかかり、該加入者線交換機の呼処理の性能が損なわれていた。
本発明の目的は、以上に述べた電話交換網における加入者線交換機のダイヤル数字桁数決定処理などに要する負荷を軽減し、加入者線交換機の呼処理の性能向上を図ることにある。
【０００４】
【課題を解決するための手段】
請求項１に記載される発明は、加入者から送信されるダイヤル数字を受信する加入者回路を収容するとともに加入者回線を終端する加入者収容モジュールと、加入者から受信したダイヤル数字に基づいて交換制御を行うとともに前記加入者収容モジュールの保守管理を行う交換制御モジュールからなる交換システムのダイヤル数字受信方式において、前記加入者収容モジュールが受信したダイヤル数字を１数字づつ交換制御モジュールに送信するものである。
【０００５】
請求項２に記載される発明は、加入者から送信されるダイヤル数字を受信する加入者回路を収容するとともに加入者回線を終端する加入者収容モジュールと、加入者から受信したダイヤル数字に基づいて交換制御を行うとともに加入者収容モジュールの保守管理を行う交換制御モジュールからなる交換システムのダイヤル数字受信方式において、前記加入者収容モジュールは受信したダイヤル数字を１数字づつ前記交換制御モジュールに送信し、前記交換制御モジュールは、前記加入者収容モジュールから順次送信されるダイヤル数字に基づいて加入者から受信すべきダイヤル数字の桁数を決定し、その桁数を該交換制御モジュールから加入者収容モジュールに通知するものである。
【０００６】
請求項３に記載された発明は、加入者から送信されるダイヤル数字を受信する加入者回路を収容するとともに加入者回線を終端する加入者収容モジュールと、加入者から受信したダイヤル数字に基づいて交換制御を行うとともに加入者収容モジュールの保守管理を行う交換制御モジュールからなる交換システムのダイヤル数字受信方式において、前記加入者収容モジュールは受信したダイヤル数字を１数字づつ前記交換制御モジュールに送信し、前記交換制御モジュールは、前記加入者収容モジュールから順次送信されるダイヤル数字に基づいて加入者から受信すべき該ダイヤル数字の桁数を決定し、その桁数を該交換制御モジュールから加入者収容モジュールに通知し、前記加入者収容モジュールは、前記加入者から受信したダイヤル数字の桁数が前記交換制御モジュールから通知された受信すべきダイヤル数字の桁数に達すると、それまでに受信した１桁目から該通知桁数までのダイヤル数字を、交換制御モジュールに通知するものである。
【０００７】
請求項６に記載された発明は、加入者から送信されるダイヤル数字を受信する加入者回路を収容するとともに加入者回線を終端する加入者収容モジュールと、加入者から受信したダイヤル数字に基づいて交換制御を行うとともに加入者収容モジュールの保守管理を行う交換制御モジュールからなる交換システムのダイヤル数字受信方式において、加入者収容モジュールが加入者から順次受信するダイヤル数字に基づき、加入者収容モジュールで受信すべき該ダイヤル数字の桁数決定を行うものである。
【０００８】
請求項７に記載された発明は、加入者から送信されるダイヤル数字を受信する加入者回路を収容するとともに加入者回線を終端する加入者収容モジュールと、加入者から受信したダイヤル数字に基づいて交換制御を行うとともに加入者収容モジュールの保守管理を行う交換制御モジュールからなる交換システムのダイヤル数字受信方式において、加入者収容モジュールが加入者から順次受信するダイヤル数字に基づき、加入者収容モジュールで受信すべき該ダイヤル数字の桁数決定を行い、加入者から受信するダイヤル数字の桁数を加入者収容モジュールにおいて決定するためのテーブルを、交換制御モジュールから加入者収容モジュールにダウンロードするものである。
【０００９】
【作用】
加入者収容モジュールは受信すべきダイヤル数字の桁数を、交換制御モジュールからの通知信号で通知されるか、あるいは内蔵する桁数決定テーブルを用いて自身で決定する。この情報により、加入者収容モジュールは加入者から受信するダイヤル数字を指定桁数まで蓄積し、指定桁数に到達した場合に交換制御モジュールにダイヤル数字を一括して送信する。これにより交換制御モジュールにおいては、ダイヤル数字受信回数が削減されるか、あるいは一回で済むようになる。
【００１０】
【実施例】
［実施例１］
本発明のダイヤル数字受信方式の第１の実施例を図１〜図４に示す。図１は、本発明のダイヤル数字受信方式が適用される交換システムの構成を示す図であり、図２は、本実施例でのダイヤル数字受信処理のシーケンスを示したものである。図３は、加入者収容モジュールにおける処理の状態を示したものであり、図４は、交換制御モジュールにおける処理の状態を示したものである。
【００１１】
以下、本実施例の構成を図１に基づいて説明する。
本実施例のダイヤル数字受信方式が適用される交換システム１は、交換制御モジュール１ａと、該交換制御モジュールに接続されるとともに加入者端末１ｅが内部の加入者回路１ｃに接続される加入者収容モジュール１ｄと、前記交換制御モジュールに接続されるスイッチモジュール１ｂとから構成される。
加入者端末１ｅから送られたダイヤル数字１ｇは、加入者線１ｆを通じて順次に加入者回路１ｃで受信され、加入者収容モジュール１ｄ内部で処理される。処理は、交換制御モジュール１ａとの信号のやりとりを通じて行われる。
交換制御モジュール１ａには、通常の回線交換機能を達成する手段に加えて、加入者収容モジュールから送信されてくる受信したダイヤル数字Ｎを蓄積する蓄積手段と、加入者収容モジュールから受信したダイヤル数字の桁数を記憶する記憶手段と、受信すべきダイヤル数字桁数を決定するためのテーブルと、受信桁数が所定の桁数に達したか否かを判断する比較手段とを有している。
加入者収容モジュール１ｄには、加入者回路１ｃの他に加入者端末１ｅから送信されたダイヤル数字を順次蓄積する手段と、受信したダイヤル数字の桁数を記憶する手段と、交換制御モジュールから送信されてきた決定桁数を記憶する決定桁数記憶手段と、受信桁数が決定桁数に達したか否かを判断する比較手段を有している。
【００１２】
次に、本実施例のダイヤル数字受信処理の手順を図２〜図４を用いて説明する。
図２は、加入者端末１ｅ、加入者収容モジュール１ｄ、および交換制御モジュール１ａの間でなされる信号手順を示し、図３は、加入者収容モジュール１ｄでの処理手順を示している。図４は、交換制御モジュール１ａでの処理手順を示している。
本実施例ではダイヤル数字をｉ桁受信したときに初めて受信すべきダイヤル数字の桁数が決定でき、その桁数はｎであると仮定する。
【００１３】
（１）  最初の桁の処理
加入者が発信しようとする場合、図２に示すように、加入者端末１ｅを操作して加入者収容モジュール１ｄに対し、ダイヤル数字Ｎ1を送信する。図３に示すように、加入者収容モジュール１ｄでは、ステップ２ａでダイヤル数字Ｎ1受信処理を行うと、ステップ２ｂで受信したダイヤル数字Ｎ1をダイヤル数字蓄積手段に蓄積するダイヤル数字蓄積処理を実行する。次いで、ステップ２ｃで受信桁数記憶手段の現受信桁数ｍを１に設定する処理を行ったのち、ステップ２ｄで交換制御モジュール１ａに対して一桁目のダイヤル数字Ｎ1を信するダイヤル数字Ｎ送信処理を行た後、加入者収容モジュールはステップ３の「数字受信中（桁数未定）」状態に遷移する。
交換制御モジュール１ａでは、図４に示されるように、ステップ５ａで加入者収容モジュールから送信されてきたダイヤル数字Ｎ1を受信するダイヤル数字Ｎ1受信処理を行うと、ステップ５ｂでダイヤル数字Ｎ1を蓄積手段に蓄積するダイヤル数字蓄積処理を行い、ステップ５ｃで受信桁数記憶手段の現受信桁数ｍを１に設定する処理を行う。次にステップ５ｄで蓄積手段に蓄積されたダイヤル数字から桁数決定をし、ステップ５ｅで決定した桁数が桁数決定かどうか判定を行う。この実施例の場合は、決定桁数ｎをｉ桁としているのでこの段階では桁数が決定できず、ステップ６の「次桁受信待」状態に遷移する。
【００１４】
（２）  桁数決定以前の処理
加入者がまた加入者端末１ｅを操作して、加入者収容モジュール１ｄに対し、図２に示すようにダイヤル数字Ｎ2を送信すると、加入者収容モジュール１ｄでは、図３に示すようにステップ３の「数字受信中（桁数未定）」状態にある加入者収容モジュール１ｄは、ステップ３ａでダイヤル数字Ｎ2受信処理を行う。それからステップ３ｂでダイヤル数字蓄積手段にダイヤル数字Ｎ2を蓄積するダイヤル数字蓄積処理を行い、ステップ３ｃで受信桁数記憶手段に現受信桁数ｍに１を加算する処理を行う。そして、ステップ３ｄで交換制御モジュール１ａに対してダイヤル数字Ｎ2を送信するダイヤル数字Ｎ送信処理を行い、ステップ３に戻り、状態は「数字受信中（桁数未定）」状態のままとなる。
【００１５】
交換制御モジュール１ａは、図４に示すように、ステップ６の「次桁受信待」状態にあり、ステップ６ａで加入者収容モジュール１ｄから送信されたダイヤル数字Ｎ2を処理するダイヤル数字Ｎ受信処理を行う。次に、ステップ６ｂでダイヤル数字Ｎ2をダイヤル数字蓄積手段に蓄積するダイヤル数字蓄積処理を行い、次いで、ステップ６ｃで受信桁数記憶手段の現受信桁数ｍに１を加算する処理を行う。そしてステップ６ｄで蓄積されたダイヤル数字列から桁数を決定し、ステップ６ｅで桁数決定できたかどうかの判定を行う。
本事例の場合は、この段階においても桁数が決定できないのでステップ６の「次桁受信待」状態のままとなる。
以下桁数が決定するまでは、ダイヤル数字Ｎ3、Ｎ4、…、Ｎi-1 の受信処理はダイヤル数字Ｎ2の受信処理と同じ手順で行われる。
【００１６】
（３）  桁数決定時における処理
加入者がひきつづき加入者端末１ｅを操作して、加入者収容モジュール１ｄに対し、図２に示すようにダイヤル数字Ｎｉを送信すると、図３に示すようにステップ３の「数字受信中（桁数未定）」状態にある加入者収容モジュール１ｄは、ステップ３ａでダイヤル数字Ｎ受信処理を行う。それからステップ３ｂでダイヤル数字蓄積処理を行い、ステップ３ｃで現受信桁数ｍに１を加算する処理３ｃを行う。そして、ステップ３ｄで交換制御モジュール１ａに対してダイヤル数字Ｎｉ送信処理を行い、ステップ３に戻り状態は「数字受信中（桁数未定）」状態のままとなる。
図４に示すように、ステップ６の「次桁受信待」状態にある交換制御モジュール１ａは、ステップ６ａでダイヤル数字Ｎｉを受信するダイヤル数字Ｎ受信処理を行う。次に、ステップ６ｂでダイヤル数字蓄積処理を行い、ステップ６ｃで現受信桁数ｍに１を加算する処理を行う。そしてステップ６ｄで受信したダイヤル数字列と受信すべきダイヤル数字の桁数との対応を取ったテーブルと蓄積されたダイヤル数字から桁数ｎを決定し、ステップ６ｅで桁数決定できたかどうかを判定する。ここまでは、前記のダイヤル数字受信処理と同じである。
本実施例の場合は、ｉ桁受信したこの時点で桁数を決定できたので、ステップ６ｆで決定桁数ｎをパラメータとする信号編集処理を行い、ステップ６ｇで加入者収容モジュール１ｄに対して「桁数通知（ｎ）」信号送信処理を行う。そして交換制御モジュール１ａはステップ７の「全桁受信待」状態に遷移する。
【００１７】
図３に示すように、ステップ３の「数字受信中（桁数未定）」にある加入者収容モジュール１ｄは、ステップ３ｅで交換制御モジュールから送信された「桁数通知（ｎ）」信号を受信して桁数通知（ｎ）信号受信処理を行うと、ステップ３ｆで桁数通知信号内のパラメータによって決定桁数ｎを決定桁数記憶手段に記憶する決定桁数ｎ記憶処理を行う。次にステップ３ｇで現受信桁数ｍが決定桁数ｎより小さいか否かの判定をする。本実施例の場合は、この段階ではまだ現受信桁数ｍの方が小さいので、加入者収容モジュール１ｄは、ステップ４の「数字受信中（桁数決定済）」に遷移する。
【００１８】
（４）  桁数を決定した後で最終桁を受信する以前の処理
加入者が加入者端末１ｅを操作して、加入者収容モジュール１ｄに対し、図２に示すようにダイヤル数字Ｎi+1 を送信すると、図３に示すようにステップ４の「数字受信中（桁数決定済）」状態にある加入者収容モジュール１ｄは、ステップ４ａでダイヤル数字Ｎ受信処理を行う。次にステップ４ｂでダイヤル数字蓄積処理を行い、ステップ４ｃで現受信桁数ｍに１を加算する処理を行う。そして、ステップ４ｄで現受信桁数ｍが決定桁数ｎより小さいか否かの判定を行う。本実施例の場合は、この段階においても桁数ｍの方が小さいので、加入者モジュール１ｄの状態はステップ４に戻り「数字受信中（桁数決定済）」状態のままとなる。
以下加入者収容モジュールが最終桁Ｎｎを受信するまでは、ダイヤル数字Ｎi+2 、…、Ｎn-1の受信処理はダイヤル数字Ｎi+1 の受信処理と同じ手順で行われ、受信したダイヤル数字はダイヤル数字記憶手段に順次記憶される。この時、加入者収容モジュール１ｄが、受信したダイヤル数字を順次交換制御モジュール１ａに送信しないことによって、交換制御モジュールは以降の受信関連処理から解放される。
【００１９】
（５）  最終桁の処理
加入者が加入者端末１ｅを操作して、加入者収容モジュール１ｄに対し、図２に示すようにダイヤル数字Ｎn を送信すると、図３に示すようにステップ４の「数字受信中（桁数決定済）」状態にある加入者収容モジュール１ｄは、ステップ４ａでダイヤル数字Ｎｎを受信する処理を行う。次にステップ４ｂでダイヤル数字Ｎｎを蓄積する処理を行い、ステップ４ｃで現受信桁数ｍに１を加算する処理を行う。そして、ステップ４ｄで現受信桁数ｍが決定桁数ｎより小さいか否かの判定を行う。本実施例の場合は、この段階で現受信桁数ｍが決定桁数ｎと一致するので、ステップ４ｅでダイヤル数字蓄積手段に蓄積されたダイヤル数字を１桁目から決定桁数分だけ順に並べる信号編集処理を行い、ステップ４ｆで交換制御モジュール１ａに対して「ダイヤル数字列Ｎ1 、Ｎ2 、…、Ｎn 」を送信するダイヤル数字列送信処理を行う。そして、加入者収容モジュールはステップ２の「空」状態に遷移する。
【００２０】
図４に示すように、ステップ７の「全桁受信待」状態にある交換制御モジュール１ａは、ステップ７ａで加入者収容モジュールから送信されてくる「ダイヤル数字列Ｎ1 、Ｎ2 、…、Ｎn 」を受信するダイヤル数字列受信処理を行う。次に、ステップ７ｂでダイヤル数字を受け取るとダイヤル数字決定後の呼処理を行う。この処理はシステムの形態により異なり、また本特許の範囲外であるため省略する。そしてこの処理が終ると然るべき次状態に遷移する。
以上のようにして、効率のよいダイヤル数字の受信処理が実現される。
最初に加入者端末１ｅから送信されるダイヤル数字Ｎ1が１であるときには、交換制御モジュール１ａは、受信桁数が１桁であるときにステップ５ｄで蓄積されたダイヤル数字“１”から桁数を決定できると判定し、ステップ５ｅで桁数ｎを３桁と決定し、ステップ５ｆで決定桁数３をパラメータとする信号を編集し、ステップ５ｇで加入者収容モジュール１ｄへ受信すべきダイヤル数字決定桁数ｎ＝３を通知する。次いで、交換制御モジュール１ａは、ステップ７の全桁受信待状態に遷移する。
【００２１】
［実施例２］
次に本発明の別の実施例を図５〜図７に示す。
図５は、本発明のダイヤル数字受信方式が適用される交換システムの第２の実施例を示している。図６は、本実施例でのダイヤル数字信号のシーケンスを示したものである。図７は、本実施例での加入者収容モジュールにおける処理を示したものである。
以下、本実施例の交換システムの構成を図５を用いて説明する。
本実施例のダイヤル数字受信方式が適用される交換システム８は、通常の交換制御モジュール８ａと、該交換制御モジュールに接続されるとともに加入者末端８ｅが内部の加入者回路８ｃに接続される加入者収容モジュール８ｄと、前記交換制御モジュールに接続されるスイッチモジュール８ｂとから構成される。
本実施例が前記第１の実施例と相違する点は、加入者収容モジュール８ｄ内に後述するダイヤル数字桁数決定テーブル８ｈを有する点、および、交換制御モジュール８ａがダイヤル数字桁数決定機能を有さない点である。
加入者端末８ｅから送られたダイヤル数字８ｇは、加入者線８ｆを通じて順次に加入者回路８ｃで受信され、加入者収容モジュール８ｄ内部で処理される。ダイヤル数字処理は、前に示した実施例とは異なり、加入者収容モジュール８ｄのみで行われる。具体的には、加入者収容モジュール８ｄ内のダイヤル数字桁数決定テーブル８ｈを用いて、入力ダイヤル数字列より桁数を決定する。
次に、本実施例のダイヤル数字受信処理の手順を図６、図７を用いて説明する。
図６は、加入者端末８ｅ、加入者収容モジュール８ｄ、および交換制御モジュール８ａの間でなされる信号手順を示し、図７は、加入者収容モジュール８ｄでの処理手順を示す図である。
本実施例では、前記第１の実施例と同様に、ダイヤル数字をｉ桁受信したときに初めて桁数が決定でき、その桁数はｎであると仮定する。
【００２２】
（１）  最初の桁の処理
加入者が発信しようとする場合、図６に示すように、加入者端末８ｅを操作して加入者収容モジュール８ｄに対し、ダイヤル数字Ｎ1 を送信する。図７に示すように、加入者収容モジュール８ｄでは、ステップ９ａでダイヤル数字Ｎ受信処理を行うと、ステップ９ｂでダイヤル数字ダイヤル数字Ｎ1 をダイヤル数字蓄積手段に蓄積する蓄積処理を実行する。そしてステップ９ｃで受信桁数記憶手段の現受信桁数ｍを１に設定する処理を行ったのち、ステップ９ｄで蓄積されたダイヤル数字から桁数を決定し、ステップ９ｅで桁数が決定されたかどうかを判定する。本実施例の場合は、この段階では桁数が決定できないので加入者収容モジュールはステップ１０の「数字受信中（桁数未定）」状態に遷移する。
【００２３】
（２）  桁数決定以前の処理
加入者がまた加入者端末８ｅを操作して、図６に示すように、加入者収容モジュール８ｄに対しダイヤル数字Ｎ2 を送信すると、図７に示すようにステップ１０の「数字受信中（桁数未定）」状態にある加入者収容モジュールは、ステップ１０ａでダイヤル数字Ｎ受信処理を行う。それからステップ１０ｂでダイヤル数字蓄積処理を行い、ステップ１０ｃで受信桁数記憶手段の現受信桁数ｍに１を加算する処理を行う。そしてステップ１０ｄでダイヤル数字記憶手段に蓄積されたダイヤル数字から桁数を決定できるか否か判断し、ステップ１０ｅで桁数を決定できたかどうかを判定する。
本実施例の場合は、この段階においても桁数が決定できないので加入者収容モジュールはステップ１０の「数字受信中（桁数未定）」状態のままとなる。
以下桁数が決定するまでは、ダイヤル数字Ｎ3 、Ｎ4 、…、Ｎi-1 の受信処理はダイヤル数字Ｎ2 の受信処理と同じ手順で行われる。
【００２４】
（３）  桁数決定時における処理
加入者がひきつづき加入者端末８ｅを操作して、図６に示すように、加入者収容モジュール８ｄに対しダイヤル数字Ｎi を送信すると、図７に示すようにステップ１０の「数字受信中（桁数未定）」状態にある加入者収容モジュール８ｄは、ステップ１０ａでダイヤル数字Ｎ受信処理を行う。それからステップ１０ｂでダイヤル数字蓄積処理を行い、ステップ１０ｃで現受信桁数ｍに１を加算する処理を行う。そしてステップ１０ｄで蓄積されたダイヤル数字から桁数を決定し、ステップ１０ｅで桁数が決定できたかどうか判定する。
ここまでは、前記第１の実施例のダイヤル数字受信処理と同じである。本実施例の場合は、この時点で桁数を決定できるので、ステップ１０ｆで決定桁数ｎを記憶する処理を実行する。次にステップ１０ｇで現受信桁数ｍが決定桁数ｎより小さいか否かを判定をする。本実施例の場合は、この段階ではまだ現受信桁数ｍの方が小さいので、加入者収容モジュールは、ステップ１１の「数字受信中（桁数決定済）」に遷移する。
【００２５】
（４）  桁数決定後で最終桁受信以前の処理
加入者が加入者端末８ｅを操作して、図６に示すように加入者収容モジュール８ｄに対しダイヤル数字Ｎi+1 を送信すると、図７に示すようにステップ１１の「数字受信中（桁数決定済）」状態にある加入者収容モジュール８ｄでは、ステップ１１ａでダイヤル数字Ｎ受信処理を行う。次にステップ１１ｂでダイヤル数字蓄積処理を行い、ステップ１１ｃで現受信桁数ｍに１を加算する処理を行う。そして、ステップ１１ｄで現受信桁数ｍが決定桁数ｎより小さいか否かを判定する。
本実施例の場合は、この段階においても桁数ｍの方が小さいので、加入者収容モジュールはステップ１１の「数字受信中（桁数決定済）」状態のままとなる。以下最終桁を受信するまでは、ダイヤル数字Ｎi+2 、…、Ｎn-1 の受信処理はダイヤル数字Ｎi+1 の受信処理と同じ手順で行われる。
【００２６】
（５）  最終桁の処理
加入者が加入者端末８ｅを操作して、図６に示すように加入者収容モジュール８ｄに対しダイヤル数字Ｎn を送信すると、図７に示すようにステップ１１の「数字受信中（桁数決定済）」状態にある加入者収容モジュール８ｄは、ステップ１１ａでダイヤル数字Ｎ受信処理を行う。次にステップ１１ｂでダイヤル数字蓄積処理を行い、ステップ１１ｃで現受信桁数ｍに１を加算する処理を行う。そして、ステップ１１ｄで現受信桁数ｍが決定桁数ｎより小さいか否かを判定する。本実施例の場合は、この段階で現受信桁数ｍが決定桁数ｎと一致するので、ステップ１１ｅで蓄積されたダイヤル数字を１桁目から決定桁数分だけ順に並べる信号編集処理を行い、ステップ１１ｆで交換制御モジュール８ａに対して「ダイヤル数字列Ｎ1、Ｎ2、…、Ｎn 」送信処理を行う。そして加入者収容モジュールはステップ９の「空」状態に遷移し、次の呼を待機する。
「空」状態にある交換制御モジュール８ａは、「ダイヤル数字列Ｎ1、Ｎ2、…、Ｎn 」受信処理を行い次いで、ダイヤル数字を受け取るとダイヤル数字決定後の呼処理を行う。この処理はシステムの形態により異なり、また本特許の範囲外であるため省略する。そしてこの処理が終ると然るべき次状態に遷移する。
【００２７】
次に、本実施例におけるダイヤル数字桁数決定テーブルのダウンロードの例を図８を用いて説明する。図８は、ダウンロード手順を示している。
市外局番の変更などによって加入者収容モジュール８ｄ内に設けたダイヤル数字桁数決定テーブル８ｈの内容を変更する必要が生じた場合には、網管理者は交換制御モジュール８ａに接続された保守用端末８ｊを操作して新規テーブルを交換制御モジュール８ａ内のテーブル一時管理エリア８ｉに蓄積する。そしてさらに交換制御モジュール８ａと加入者収容モジュール８ｄを結ぶ通信回線８ｋを通じて、テーブル一時管理エリア８ｉの情報を加入者収容モジュール８ｄに送る。加入者収容モジュール８ｄではこの情報を受け取ると、ダイヤル数字桁数決定テーブル８ｈの内容を新規の内容に書き替える。
これにより、加入者収容モジュール８ｄのダイヤル数字受信処理の内容を変えることができる。
上記例では、保守用端末８ｊからの入力で変更を実現したが、この他に網内のモジュールを集中管理するセンタからの信号により変更する方式もある。また、この手順で使用する通信回線８ｋなどは、呼処理用通信回線と異なるものであってもよい。
【００２８】
【発明の効果】
請求項１〜請求項５に記載された本発明によれば、ダイヤル数字の受信処理を加入者収容モジュールで負担するので加入者線交換機におけるダイヤル数字の受信処理が軽減され、呼処理の性能が向上し、１交換機で単位時間に処理できる呼数が増大する。これにより、多数の呼を同時に処理し易くなる。また、請求項６〜請求項８に記載された第２の実施例に示される加入者収容モジュールにダイヤル数字桁数決定テーブルを持つ方式においては、ダイヤル数字の桁数の決定を加入者収容モジュールで実行するので交換制御モジュールの負荷を大幅に軽減できるとともに、交換制御モジュールからテーブルをダウンロードすることによって、桁数決定処理の変更が柔軟にできるようになる。
【図面の簡単な説明】
【図１】本発明の一実施例における交換システムの構成図。
【図２】上記実施例でのダイヤル数字受信処理のシーケンス図。
【図３】加入者収容モジュールにおける処理を示す状態遷移図。
【図４】交換制御モジュールにおける処理を示す状態遷移図。
【図５】本発明の第２の実施例における交換システムの構成図。
【図６】上記第２の実施例でのダイヤル数字受信処理のシーケンス図。
【図７】加入者収容モジュールにおける処理を示す状態遷移図。
【図８】ダイヤル数字桁数決定テーブルのダウンロード手順を示す図。
【符号の説明】
１ａ  交換制御モジュール
１ｂ  スイッチモジュール
１ｃ  加入者回路
１ｄ  加入者収容モジュール
１ｅ  加入者端末
１ｆ  加入者線
１ｇ  ダイヤル数字
Ｎi   ダイヤル数字
２  加入者収容モジュールの「空」状態における状態遷移図
２ａ  ダイヤル数字Ｎ受信処理
２ｂ  ダイヤル数字蓄積処理
２ｃ  現受信桁数ｍを１に設定する処理
２ｄ  ダイヤル数字Ｎ送信処理
３  加入者収容モジュールの「数字受信中（桁数未定）」状態における状態遷移図
３ａ  ダイヤル数字Ｎ受信処理
３ｂ  ダイヤル数字蓄積処理
３ｃ  現受信桁数ｍに１を加算する処理
３ｄ  ダイヤル数字Ｎ送信処理
３ｅ  「桁数通知（ｎ）」信号受信処理
３ｆ  決定桁数ｎ記憶処理
３ｇ  現受信桁数ｍが決定桁数ｎより小さいかの判定処理
３ｈ  蓄積されたダイヤル数字を１桁目から決定桁数分順に並べる信号編集処理
３ｉ  「ダイヤル数字列Ｎ1 ，Ｎ2 ，…，Ｎn 」送信処理
４  加入者収容モジュールの「数字受信中（桁数決定済）」状態における状態遷移図
４ａ  ダイヤル数字Ｎ受信処理
４ｂ  ダイヤル数字蓄積処理
４ｃ  現受信桁数ｍに１を加算する処理
４ｄ  現受信桁数ｍが決定桁数ｎより小さいかの判定処理
４ｅ  蓄積されたダイヤル数字を１桁目から決定桁数分順に並べる信号編集処理
４ｆ  「ダイヤル数字列Ｎ1 ，Ｎ2 ，…，Ｎn 」送信処理
５  交換制御モジュールの「空」状態における状態遷移図
５ａ  ダイヤル数字Ｎ受信処理
５ｂ  ダイヤル数字蓄積処理
５ｃ  現受信桁数ｍを１に設定する処理
５ｄ  蓄積されたダイヤル数字からの桁数決定処理
５ｅ  桁数決定判定処理
５ｆ  決定桁数ｎをパラメータとする信号編集
５ｇ  「桁数通知（ｎ）」信号送信処理
６  交換制御モジュールの「次桁受信待」状態における状態遷移図
６ａ  ダイヤル数字Ｎ受信処理
６ｂ  ダイヤル数字蓄積処理
６ｃ  現受信桁数ｍに１を加算する処理
６ｄ  蓄積されたダイヤル数字からの桁数決定処理
６ｅ  桁数決定判定処理
６ｆ  決定桁数ｎをパラメータとする信号編集
６ｇ  「桁数通知（ｎ）」信号送信処理
７  交換制御モジュールの「全桁受信待」状態における状態遷移図
７ａ  「ダイヤル数字列Ｎ1 ，Ｎ2 ，…，Ｎn 」受信処理
７ｂ  ダイヤル数字決定後の呼状態
８ａ  交換制御モジュール
８ｂ  スイッチモジュール
８ｃ  加入者回路
８ｄ  加入者収容モジュール
８ｅ  加入者端末
８ｆ  加入者線
８ｇ  ダイヤル数字
８ｈ  ダイヤル数字桁数決定テーブル
８ｉ  保守用端末
８ｊ  テーブル一時管理エリア
８ｋ  交換制御モジュールと加入者収容モジュールを結ぶ通信回線
９  加入者収容モジュールの「空」状態における状態遷移図
９ａ  ダイヤル数字Ｎ受信処理
９ｂ  ダイヤル数字蓄積処理
９ｃ  現受信桁数ｍに１を設定する処理
９ｄ  蓄積されたダイヤル数字からの桁数決定処理
９ｅ  桁数決定判定処理
９ｆ  決定桁数ｎ記憶処理
９ｇ  現受信桁数ｍが決定桁数ｎより小さいかの判定処理
９ｈ  蓄積されたダイヤル数字を１桁目から決定桁数分順に並べる信号編集処理
９ｉ  「ダイヤル数字列Ｎ1 ，Ｎ2 ，…，Ｎn 」送信処理
１０  加入者収容モジュールの「数字受信中（桁数未定）」状態における状態遷移図
１０ａ  ダイヤル数字Ｎ受信処理
１０ｂ  ダイヤル数字蓄積処理
１０ｃ  現受信桁数ｍに１を加算する処理
１０ｄ  蓄積されたダイヤル数字からの桁数決定処理
１０ｅ  桁数決定判定処理
１０ｆ  決定桁数ｎ記憶処理
１０ｇ  現受信桁数ｍが決定桁数ｎより小さいかの判定処理
１０ｈ  蓄積されたダイヤル数字を１桁目から決定桁数分順に並べる信号編集処理
１０ｉ  「ダイヤル数字列Ｎ1 ，Ｎ2 ，…，Ｎn 」送信処理
１１  加入者収容モジュールの「数字受信中（桁数決定済）」状態における状態        遷移図
１１ａ  ダイヤル数字Ｎ受信処理
１１ｂ  ダイヤル数字蓄積処理
１１ｃ  現受信桁数ｍに１を加算する処理
１１ｄ  現受信桁数ｍが決定桁数ｎより小さいかの判定処理
１１ｅ  蓄積されたダイヤル数字を１桁目から決定桁数分順に並べる信号編集処理
１１ｆ  「ダイヤル数字列Ｎ1 ，Ｎ2 ，…，Ｎn 」送信処理
【図１】
0003717191.tif 000002
【図２】
0003717191.tif 000003
【図３】
0003717191.tif 000004
【図４】
0003717191.tif 000005
【図５】
0003717191.tif 000006
【図６】
0003717191.tif 000007
【図７】
0003717191.tif 000008
【図８】
0003717191.tif 000009